(57)【要約】      （修正有）【課題】接続線を接続するのに便利な電子装置の保護装置を提供する。【解決手段】第一本体４１及び第二本体４２で構成される。第一本体は密閉式レシーバーコイルを有し、ワイヤレス充電装置からくる電力を受信するために用いられる。第二本体は第一本体に接続され、第一本体に対してスライド及び凸柱４２２１を軸として回動する。第二本体をＤ２方向にスライドさせれば電子装置を収納保護でき、Ｄ１方向にスライドし、回動させれば、電子装置の接続ポート５０は露出し、接続線を接続ポートに接続できる。【選択図】図３
0003185382.tif 000002
【実用新案登録請求の範囲】
【請求項１】
電子装置に適用するための電子装置の保護装置であって、
前記電子装置の一部を覆うために用いられると共に、板体内に設けられ、ワイヤレス充電伝送装置からの電力を受信するために用いられる閉鎖式レシーバーコイルを有する第一本体と、
前記第一本体に接続され、前記第一本体に対してスライド及び振動し、前記電子装置の接続ポートを覆う第二本体とを含み、
前記第二本体が前記第一本体に対して第一方向にスライドするとき、前記第二本体は前記電子装置と接触せず、前記第二本体が前記第一本体に対して第一方向にスライドすると共に、前記第一本体に対して振動するとき、前記第二本体と前記第一本体の間には刃先角が形成され、前記電子装置の前記接続ポートは外に露出することを特徴とする、電子装置の保護装置。
【請求項２】
前記第一本体は
前記閉鎖式レシーバーコイルをその中に設けるために用いられ、前記電子装置の底部と接触する板体と、
前記板体を延長させることによって形成され、前記電子装置の少なくとも１つの側壁と接触させるために用いられる第一側壁と、
前記第一側壁と前記板体と共同で形成され、前記電子装置をその中に収納するために用いられる収納空間と、
を含むことを特徴とする、請求項１に記載の電子装置の保護装置。
【請求項３】
前記第二本体は
接続部を有するフレームと、
前記フレームを延長させることによって形成され、前記第一側壁に接続され、前記第一側壁に対してスライドし、前記第一側壁に対して振動する少なくとも１つの延長アームとを含み、
前記接続部は前記フレームと前記電子装置が接触するとき、前記電子装置の前記接続ポートに伸び込むことを特徴とする、請求項２に記載の電子装置の保護装置。
【請求項４】
前記第一側壁は
前記第一側壁上に設けられると共に、前記第一側壁の中央領域と前記第一側壁の縁領域の間に位置するレールと、
前記第一側壁上に設けられると共に、前記レールの第一端に位置する第一開口部と、
前記第一側壁上に設けられると共に、前記レールの第二端に位置する第二開口部とを含み、
前記少なくとも１つの延長アームは少なくとも１つの凸柱を有し、それぞれの前記凸柱は前記第一開口部、前記第二開口部と前記レール中に伸び込むために用いられ、
前記凸柱が前記第一開口部に伸び込むとき、前記第二本体の前記フレームと前記電子装置は接触し、前記接続部は前記電子装置と電気的に接続され、前記凸柱が前記レール中に伸び込むとき、前記第二本体は前記電子装置と接触せず、前記第一本体に対して前記第一方向或いは、前記第一方向と反対の第二方向に向かってスライドし、前記凸柱が前記第二開口部に伸び込むとき、前記第二本体は前記凸柱を軸として、前記第一本体に対して振動することを特徴とする、請求項３に記載の電子装置の保護装置。
【請求項５】
前記フレームはさらに前記フレームの縁領域に設けられ、前記フレームに対して回転し、前記電子装置の別の接続ポートを外に露出させる、或いは、前記フレームを覆うために用いられる活動蓋を含むことを特徴とする請求項３に記載の電子装置の保護装置。
【請求項６】
前記活動蓋は活動蓋切欠き部を含み、前記フレームはフレ−ム切欠き部を含み、前記活動蓋が前記フレームを覆うとき、前記活動蓋切欠き部と前記フレーム切欠き部は共同でフレーム開口部を形成し、前記フレーム開口部は前記別の接続ポートより小さく、第一接続線を前記電子装置の前記別の接続ポートに接続し、前記活動蓋が前記フレームを覆うとき、前記第一接続線は前記フレーム開口部を貫通し、前記第一接続線は前記活動蓋によって前記フレーム上に固定されることを特徴とする、請求項５に記載の電子装置の保護装置。
【請求項７】
前記第一接続線は
前記第一接続線を握り、前記別の接続ポートに接続させるために用いられるハンドルと、
前記ハンドルの第一端に設けられ、前記別の接続ポートに接続させるために用いられるコネクターと、
前記ハンドルの第二端に設けられ、前記電子装置からくる信号を伝送するために用いられる線本体を含み、
前記第一接続線が前記活動蓋によって前記フレーム上に固定されるとき、前記ハンドルの前記第二端は前記フレーム開口部に固定されることを特徴とする、請求項６に記載の電子装置の保護装置。
【請求項８】
前記板体はさらに前記板体上に設けられると共に前記密閉式レシーバーコイルに電気的に接続される第一伝送素子を含み、前記フレームはさらにに前記フレーム上に設けられると共に前記接続部に電気的に接続される第二伝送素子を含み、前記フレームと前記電気装置が接触するとき、前記第一伝送素子と前記第二伝送素子は接触し、ワイヤレス充電伝送装置からくる前記電力を前記密閉式レシーバーコイルは前記第一伝送素子、前記第二伝送素子と前記接続部を経ることにより、前記電子装置へと伝送させることを特徴とする、請求項３に記載の電子装置の保護装置。
【請求項９】
前記第一側壁は前記板体と一体成型され、前記少なくとも１つの延長アームは前記フレームと一体成型され、前記電子装置はスマートフォン、タブレットコンピュータ、個人用の携帯情報末端、或いは、手持ちのゲーム機であることを特徴とする、請求項３に記載の電子装置の保護装置。
【請求項１０】
前記電子装置が前記収納空間に収納されるとき、前記電子装置の前記底部と前記板体は接触し、前記電子装置の前記少なくとも１つの側壁と前記第一側壁は接触し、前記接続ポートは前記電子装置の第二短手方向側壁上に設けられ、前記電子装置の前記少なくとも１つの側壁は前記電子装置の複数の長手方向側壁と前記電子装置の第一短手方向側壁を含むことを特徴とする、請求項２に記載の電子装置の保護装置。
【考案の詳細な説明】
【技術分野】
【０００１】
本考案は、電子装置の保護装置に関する。
【背景技術】
【０００２】
現在市場での電子装置は大多数が軽量薄型な外形を有しており、携帯に便利であり、電子装置はタッチパネル式ディスプレイを採用し、電子装置はタッチパネル式ディスプレイによって指令を入力し、操作し、電子装置はスマートフォン、タブレットコンピュータ、個人用の携帯情報末端、或いは、手持ちのゲーム機などである。軽量薄型な電子装置は衝撃に対する耐性が低く、タッチパネル式ディスプレイが損傷を受けたとき、電子装置の制御性は影響を受けるため、電子装置の保護はかなり重要である。
【０００３】
また、電子装置内には充電電池が設けられ、電力を電子装置に提要し、これを作動させる。電子装置内の充電電池の電力が不足しているとき、ユーザーは接続線を利用して、前記接続線の一端を電源に接続し、接続線の別の一端を電子装置に接続し、電源の電力を電子装置内の充電電池に伝送する。
【考案の概要】
【考案が解決しようとする課題】
【０００４】
しかしながら、前述した従来の技術では、有線充電方式は接続線等の線材が外に露出するため、前記これら線材は乱雑になり整理が容易ではなく、同時に接続線などの線材（声音信号接続線を含み、つまり、イヤホン線）が不注意な使用で引っ張られることにより、容易前記これら接続線が破損してしまう。
【０００５】
上述２つの問題を鑑み、市場では周知の電子装置の保護装置が出されている。図１は従来の電子装置の保護装置とワイヤレス充電伝送装置を説明する外観構造概略図である。図１は電子装置の保護装置１、電子装置２及びワイヤレス充電伝送装置３を示している。電子装置の保護装置１は本体１０、充電電池（図示せず）及び密閉式レシーバーコイル１１を含み、本体１０は電子装置２を覆うために用いられ、電子装置２の表示装置２１を外に露出させ、電子装置２を保護する。密閉式レシーバーコイル１１は本体１０内に設けられ、充電電池に電気的に接続され、ワイヤレス充電伝送装置３からくる電力を受信するために用いられ、前記電力を充電電池に伝送する。
【０００６】
ワイヤレス充電伝送装置３はケース、電源線３１、電力モジュール３２と伝送コイル３３を含み、電源線３１はケース３０の外に露出し、電源（図示せず）に接続するために用いられる。電力モジュール３２と伝送コイル３３はどれもケース３０の内部に設けられ、電力モジュール３２はそれぞれ電源線３１と伝送コイル３３に接続され、電力モジュール３２が電源によって駆動されるとき電流を発生させるようにし、電流は伝送コイル３３を通り、電磁効果を発生させ、伝送コイル３３は電磁効果によって生じる磁束に応じて相対する電力を密閉式レシーバーコイル１１に出力する。周知のワイヤレス充電伝送装置３のケース３０はフラットな外形であるように設計され、周知のワイヤレス充電伝送装置３のケース３０の体積は周知の電子装置の保護装置１の本体１０の体積より大きく、ユーザーが周知の電子装置の保護装置１をその上に置きやすくさせる。
【０００７】
上述した通り、周知の電子装置の保護装置１は電子装置２を保護可能であり、電子装置２が外からの衝撃を受けることによって損傷を受けることを避け、ワイヤレス充電技術を利用して電子装置２に対して充電を行う。周知の電子装置２は接続線を使用して充電を行う必要はないが、周知の電子装置２はデータ伝送やデータバックアップなどの作業を行うため、接続線を利用してコンピュータシステムに接続する必要がある。しかしながら、電子装置２中で接続線を接続するために用いられる接続ポートは周知の電子装置の保護装置１で覆われており、接続線と結合させることができない。ユーザーが接続線を利用して電子装置２とコンピュータシステムに接続したいとき、周知の電子装置の保護装置１中から電子装置２を取り出し、電子装置２上の接続ポートを外に露出させなければ、接続線を接続させることができない。電子装置２を周知の電子装置の保護装置１から取り出す過程において、電子装置２は保護を受けておらず、容易に落ちて衝撃を受けるため、接続線を接続すると同時に電子装置を保護できる接続線を接続するのに便利な電子装置の保護装置が必要である。
【０００８】
そこで、本考案者は上記の欠点が改善可能と考え、鋭意検討を重ねた結果、合理的設計で上記の課題を効果的に改善する本考案の提案に到った。
【０００９】
本考案は、このような従来の問題に鑑みてなされたものである。上記課題解決のため、本考案は、接続線を接続するのに便利な電子装置の保護装置を提供することを主目的とする。
【課題を解決するための手段】
【００１０】
上述した課題を解決し、目的を達成するために、好ましい実施形態で、本考案に係る電子装置の保護装置は電子装置に適用するための電子装置の保護装置であって、
前記電子装置の一部を覆うために用いられると共に、板体内に設けられ、ワイヤレス充電伝送装置からの電力を受信するために用いられる閉鎖式レシーバーコイルを有する第一本体と、
前記第一本体に接続され、前記第一本体に対してスライド及び振動し、前記電子装置の接続ポートを覆う第二本体とを含み、
前記第二本体が前記第一本体に対して第一方向にスライドするとき、前記第二本体は前記電子装置と接触せず、前記第二本体が前記第一本体に対して第一方向にスライドすると共に、前記第一本体に対して振動するとき、前記第二本体と前記第一本体の間には刃先角が形成され、前記電子装置の前記接続ポートは外に露出することを特徴とする。
【図面の簡単な説明】
【００１１】
【図１】従来の電子装置の保護装置とワイヤレス充電伝送装置を説明する外観構造概略図である。
【図２】本考案に係る電子装置の保護装置と電子装置を好ましい実施形態で説明する夫々の独立外観構造概略図である。
【図３】本考案に係る電子装置の保護装置の第二本体の好ましい実施形態での第一本体に対するスライドを説明する外観構造概略図である。
【図４】本考案に係る電子装置の保護装置の第二本体の好ましい実施形態での第一本体に対するスライドを他の角度から見た外観構造概略図である。
【図５】本考案に係る電子装置の保護装置が好ましい実施形態で電子装置を収納することを説明する外観構造概略図である。
【図６】本考案に係る電子装置の活動蓋が好ましい実施形態で開けられることを説明する外観構造概略図である。
【図７】本考案に係る電子装置の活動蓋が好ましい実施形態で閉鎖されることを説明する外観構造概略図である。
【図８】本考案に係る電子装置の第二本体の好ましい実施形態での第一本体に対する振動を説明する外観構造概略図である。
【図９】本考案に係る電子装置の保護装置が収納する電子装置を好ましい実施形態で接続線に接続することを説明する外観構造概略図である。
【考案を実施するための形態】
【００１２】
以下に図面を参照して、本考案を実施するための形態について、詳細に説明する。なお、本考案は、以下に説明する実施形態に限定されるものではない。まず、本考案の電子装置の保護装置の第１実施形態について説明する。なお、本考案の第１実施形態の構成を図１から図９に示す。
（第１実施形態）
【００１３】
本考案の実施形態に係る電子装置の保護装置は図２の本考案に係る電子装置の保護装置と電子装置を好ましい実施形態で説明する夫々の独立外観構造概略図に示されている。図３は本考案に係る電子装置の保護装置の第二本体の好ましい実施形態での第一本体に対するスライドを説明する外観構造概略図である。図２は電子装置の保護装置４と電子装置５を示す。電子装置の保護装置４はさらに第一本体４１と第二本体４２を含む。第一本体４１は電子装置５の一部を覆うために用いられる。また、第二本体４２は第一本体４１に接続され、第一本体４１に対してスライドし、前記第二本体４２が第一本体４１に対してスライドし、第一本体４１から離れた後、第一本体４１に対して振動し、電子装置５の接続ポート５０を覆うために用いられる。
【００１４】
電子装置５は底部５１、複数の長手方向側壁５２、第一短手方向側壁５３、第二短手方向側壁５４、表示装置５５と別の接続ポート５６を含み、複数の長手方向側壁５２は相互に平行になるよう設けられ、それぞれ第一短手方向側壁５３と第二短手方向側壁５４に接続され、第一短手方向側壁５３と第二短手方向側壁５４は相互に平行になるよう設けられる。接続ポート５０は第二短手方向側壁５４の中央領域上に設けられ、第二接続線７と接続するために用いられ、別の接続ポート５６は第二短手方向側壁５４上に設けられると共に接続ポート５０の一側に位置し、第一接続線６と接続させるために用いられる。本好ましい実施形態では、電子装置５はスマートフォンであり、表示装置５５はタッチパネル式ディスプレイである。別の好ましい実施形態では、電子装置はタブレットコンピュータ、個人用の携帯情報末端、或いは、手持ちのゲーム機を採用してもよい。
【００１５】
図２と図３によれば、第一本体４１は密閉式レシーバーコイル４１１、板体４１２、第一側壁４１３と収納空間４１４を含み、密閉式レシーバーコイル５１１は前記第一本体４１の板体４１２内に設けられ、ワイヤレス充電伝送装置（図示せず）の伝送コイル（図示せず）からくる電力を受信するために用いられる。板体４１２は前記密閉式レシーバーコイル４１１をその中に設けるために用いられ、電子装置５の底部５１と接触し、第一側壁４１３は板体４１２を延長させることによって形成され、電子装置５の少なくとも１つの側壁と接触し、電子装置５の少なくとも１つの側壁は複数の長手方向側壁５２と第一短手方向側壁５３を含む。収納空間４１４は第一側壁４１３と板体４１２によって共同で形成され、電子装置５をその中に収納するために用いられる。本好ましい実施形態では、第一側壁４１３はコの字型であり、電子装置５の外形に符合し、第一側壁４１３は板体４１２と一体成型される。
【００１６】
図４は本考案に係る電子装置の保護装置の第二本体の好ましい実施形態での第一本体に対するスライドを他の角度から見た外観構造概略図である。第二本体４２はフレーム４２１と複数の延長アーム４２２を含み、フレーム４２１の外形は電子装置５の第一短手方向側壁５３と符合し、フレーム４２１は接続部４２１１を含み、フレーム４２１と電子装置５の第一短手方向側壁５３が接触するとき、電子装置５の接続ポート５０に伸び込む。複数の延長アーム４２２はフレーム４２１を延長させることによって形成され、これは第一本体４１の第一側壁４１３と接続し、第一側壁４１３に対してスライドし、第一側壁４１３に対して振動する。図２と図４では、板体４１２は板体４１２上に設けられると共に密閉式レシーバーコイル４１１と電気的に接続される第一伝送素子４１２１を含み、フレーム４２１はフレーム４２１上に設けられると共に接続部４２１１に電気的に接続される第二伝送素子４２１２を含む。本好ましい実施形態では、複数の延長アーム４２２はフレーム４２１と一体成型され、第一伝送素子４１２１と第二伝送素子４２１２は金属弾力部材である。
【００１７】
第二本体４２において、第一側壁４１３はレール４１３１、第一開口部４１３２と第二開口部４１３３を含み、レール４１３１は第一側壁４１３上に設けられ、第一側壁４１３の中央領域と第一側壁４１３の縁領域の間に位置し、第一開口部４１３２は第一側壁４１３上に設けられると共にレール４１３１の第一端に位置し、第二開口部４１３３は第一側壁４１３上に設けられると共にレール４１３１の第二端に位置する。それぞれの延長アーム４２２は凸柱４２２１を有し、それぞれ第一開口部４１３２、第二開口部４１３３とレール４１３１中に伸び込むために用いられる。特に説明すべきは、図３は第一側壁４１３中の片側のレール４１３１、第一開口部４１３２と第二開口部４１３３が示されているだけであり、第一側壁４１３の別の片側には対応するレール４１３１、第一開口部４１３２と第二開口部４１３３が設けられている。
【００１８】
凸柱４２２１が第一開口部４１３２に伸び込むとき、第一本体４１は第二本体４２に近づき、第一本体４１の収納空間４１４と第二本体４２のフレーム４２１が共同で囲む領域と電子装置５の外形は符合し、接続部４２１１は前記収納空間４１４の上方に位置し、図２に示すとおりである。また、凸柱４２１１が第二開口部４１３３に伸び込むとき、第一本体４１は第二本体４２から離れ、接続部４２１１は前記収納空間４１４から離れ、図３に示すとおりであり、ユーザーが電子装置５を収納空間４１４中に置きやすくさせる。ユーザーが電子装置５を収納空間４１４中に置いた後、第二本体４２のフレーム４２１を押し動かし、第二本体４２が第一本体４１に対して第一方向Ｄ１と逆の第二方向Ｄ２に向かってスライドするようにさせ、凸柱４２２１は第二開口部４１３３から離脱してレール４１３１を移動し、このとき、第二本体４２はやはり電子装置５と接触しない。凸柱４２２１が移動して第一開口部４１３２に伸び込むとき、フレーム４２１と電子装置５は接触し、接続部４２１１は電子装置５の接続ポート５０に伸び込み、電子装置５と電気的に接続し、このとき、電子装置５は収納空間４１４に収納され、電子装置５の底部５１と板体４１２は接触し、電子装置５の複数の長手方向側壁５２と第一短手方向側壁５３と第一側壁４１３は接触し、図５に示すようになる。
【００１９】
フレーム４２１と電子装置５が接触し、接続部４２１１が電子装置５の接続ポート５０に伸び込むとき、第一伝送素子４１２１と第二伝送素子４２１２は接触し、ワイヤレス充電伝送装置からくる前記電力を密閉式レシーバーコイル４１１は第一伝送素子４１２１、第二伝送素子４２１２と接続部４２１１を経ることにより、電子装置５へと伝送させ、密閉式レシーバーコイル４１１と電子装置５の間の電気的接続が確立される。
【００２０】
図６は本考案に係る電子装置の活動蓋が好ましい実施形態で開けられることを説明する外観構造概略図である。第二本体４２において、フレーム４２１はフレーム４２１の縁領域に設けられ、フレーム４２１に対して回転し、電子装置５の別の接続ポート５６を外に露出させる、或いは、フレーム４２１に対して回転し、フレーム４２１を覆うために用いられる活動蓋４２１３をさらに含む。活動蓋４２１３がフレーム４２１に対して回転するとき、電子装置５の別の接続ポート５６は外に露出され、第一接続線６を別の接続ポート５６に接続させる。図６に示す活動蓋４２１３は活動蓋切欠き部４２１３Ａを含み、フレームはフレーム切欠き部４２１４を含み、活動蓋４２１３がフレーム４２１を覆うとき、活動蓋切欠き部４２１３Ａとフレーム切欠き部４２１４は共同でフレーム開口部４２１５を形成し（図２に示すように）、フレーム開口部４２１５は別の接続ポート５６より小さい。
【００２１】
図２と図６と図７によれば、図７は本考案に係る電子装置の活動蓋が好ましい実施形態で閉鎖されることを説明する外観構造概略図である。第一接続線６はハンドル６１、コネクター６２と線材本体６３を含み、ハンドル６１はユーザーが握り、第一接続線６を別の接続ポート５６に接続させるために用いられる。コネクター６２はハンドル６１の第一端に設けられ、別の接続ポート５６に接続させるために用いられ、線材本体６３はハンドルの第二端に設けられ、電子装置５からくる信号を伝送するために用いられる。この好ましい実施形態で電子装置５からくる前記信号は音源信号であり、第一接続線６は音源線である。第一接続線６のコネクター６２が別の接続ポート５６に接続され、活動蓋４２１３がフレーム４２１を覆うとき、第一接続線６のハンドル６１はフレーム開口部４２１５を貫通し、活動蓋４２１３によってフレーム４２１上に固定され、線材本体６３はフレーム開口部４２１５を貫通し、つまり、ハンドル６１の第二端はフレーム開口部４２１５に固定される。したがって、ユーザーが不注意で第一接続線６を引っ張ってしまったときであっても、第一接続線６はフレーム４２１上に固定され、別の接続ポート５６から離脱しない。
【００２２】
次は第二接続線７を電子装置５の接続ポートに接続される状況を説明する。図３と図８によれば、図８は本考案に係る電子装置の第二本体の好ましい実施形態での第一本体に対する振動を説明する外観構造概略図である。ユーザーが第二接続線７を利用して電子装置５とコンピュータシステムに接続したいとき、ユーザーは第二本体４２を開き、第二本体４２は第一本体に対してスライドし、この作動状況と前述の関連内容は同じであるため余分な説明を省き、電子装置の保護装置４の状態が図４に示すように形成される。凸柱４２２１が第二開口部４１３３に伸び込んだ後、第二本体４２は第一本体４１から離れ、第二本体４２が凸柱４２２１を軸として、第一本体４１に対して振動するようにさせ、このとき、第二本体４２と第一本体４１の間には刃先角Ａが形成され、該刃先角Ａは鋭角である。そして、電子装置５の接続ポート５０は図４に示すように外に露出される。
【００２３】
接続ポート５０が外に露出した後、ユーザーは第二接続線７の第一端を接続ポート５０に接続させることができ、第二接続線７の第二端をコンピュータシステムに接続することにより、電子装置６とコンピュータシステムの間の信号接続が確立される。図８に示すように、接続ポート５０が外に露出されるとき、電子装置５はやはり第一本体４１の収納空間４１４に固定されて保護されており、つまり、電子装置５が不注意によって落ちて、外からの衝撃を受けたとしても、電子装置の保護装置４の大部分は電子装置５を覆っているため、電子装置５は容易に損傷を受けない。
【００２４】
第二本体４２と第一本体４１の間に刃先角Ａが形成されるとき、ユーザーは電子装置の保護装置４をテーブル（図示せず）上に置くことができ、第二本体４２と第一本体４１の間に形成される刃先角Ａによって、電子装置の保護装置４に収納される電子装置５の表示装置５５はテーブルと略相同な刃先角Ａがあり、ユーザーがその表示装置５５を見やすくなり、同時に電子装置５を使用できる。
【００２５】
上述した通りに、本考案の電子装置の保護装置はワイヤレス充電の機能を提供すると共に、電子装置を有効に保護する。ユーザーが第二接続線を電子装置に接続させようとするとき、スライド方式と振動方式のみにより、第二本体を第一本体から離脱させ、電子装置の接続ポートを外に露出させ、同時に電子装置はやはり第一本体の保護を受け、外からの衝撃を受けることによる損傷を避ける。また、本考案の電子装置の保護装置は第一接続線をその上に固定することが可能であり、第一接続線が不注意により引っ張られ、別の接続ポートから離脱することを避ける。
【００２６】
以上、本考案の実施形態について図面を参照して詳述したが、具体的な構成はこの実施形態に限られるものではなく、本考案の要旨を逸脱しない範囲の設計変更等も含まれる。
【符号の説明】
【００２７】
１  電子装置の保護装置
２  電子装置
３  ワイヤレス充電伝送装置
４  電子装置の保護装置
５  電子装置
６  第一接続線
７  第二接続線
１０  本体
１１  閉鎖式レシーバーコイル
２１  表示装置
３０  ケ−ス
３１  電源線
３２  電力モジュール
３３  伝送コイル
４１  第一本体
４２  第二本体
５０  接続ポート
５１  電子装置の底部
５２  長手方向側壁
５３  第一短手方向側壁
５４  第二短手方向側壁
５５  表示装置
５６  別の接続ポート
６１  ハンドル
６２  コネクター
６３  線本体
４１  閉鎖式レシーバーコイル
４１２  板体
４１３  第一側壁
４１４  収納空間
４２１  フレ−ム
４２２  延長ア−ム
４１２１  第一伝送素子
４１３１  レール
４１３２  第一開口部 
４１３３  第二開口部
４２１１  接続部
４２１２  第二伝送素子
４２１３  活動蓋
４２１４  フレ−ム切欠き部
４２１５  フレ−ム開口部
４２２１  凸柱
４２１３Ａ  活動蓋切欠き部   
Ａ  刃先角
Ｄ１  第一方向
Ｄ２  第二方向
【図１】
0003185382.tif 000003
【図２】
0003185382.tif 000004
【図３】
0003185382.tif 000005
【図４】
0003185382.tif 000006
【図５】
0003185382.tif 000007
【図６】
0003185382.tif 000008
【図７】
0003185382.tif 000009
【図８】
0003185382.tif 000010
【図９】
0003185382.tif 000011